(57)【要約】【課題】光源部からの光が支持部材に照射されることにより生じる影が、表示部上で視認されるのを抑制しながら、背面部材から背面側に漏れた光が視認されるのを抑制することが可能な表示装置を提供する。【解決手段】この液晶テレビジョン装置１００は、表示部１と、リアフレーム４と、ＬＥＤ６と、拡散板１０と、拡散板１０を背面側から支持する支持部１３と、一方側がリアフレーム４に取り付けられるとともに、他方側が支持部１３に取付可能に構成されているベース部１４とを含むパネルポスト１２とを備える。【選択図】図５
2016004102.tif 000002
【特許請求の範囲】
【請求項１】
表示部と、
前記表示部の背面側に配置される背面部材と、
前記表示部と前記背面部材との間に配置される光源部と、
前記表示部と前記光源部との間に配置される光学シートと、
前記光学シートを前記光学シートの背面側から支持する支持部と、前記光源部と離間した位置において、一方側が前記背面部材に取り付けられるとともに、他方側が前記支持部に取付可能に構成されているベース部とを含む支持部材とを備える、表示装置。
【請求項２】
前記ベース部は、光の透過を抑制する有色部分を含む、請求項１に記載の表示装置。
【請求項３】
前記背面部材と前記光学シートとの間に設けられており、前記光源部からの光を反射可能に構成された反射シートをさらに備え、
前記ベース部は、前記ベース部と前記背面部材とによって、前記反射シートを挟むように構成されている、請求項１または２に記載の表示装置。
【請求項４】
前記支持部には、前記ベース部と嵌合可能に構成された支持部側嵌合部が設けられており、
前記ベース部には、前記支持部に設けられた前記支持部側嵌合部に嵌合可能に構成されたベース部側嵌合部が設けられており、
前記支持部側嵌合部と前記ベース部側嵌合部とは、前記光学シートと平行な方向に沿って、前記ベース部に対して前記支持部を相対的に移動させることにより、嵌合されるように構成されている、請求項１〜３のいずれか１項に記載の表示装置。
【請求項５】
前記ベース部側嵌合部は、前記支持部側嵌合部が嵌合方向に進入可能に設けられた開口部と、前記開口部の内側面の一部である壁部とを含み、
前記壁部は、前記開口部から進入した前記支持部側嵌合部が前記ベース部側嵌合部を越えて前記嵌合方向に移動するのを規制するように構成されている、請求項４に記載の表示装置。
【請求項６】
前記ベース部側嵌合部は、前記支持部側嵌合部が嵌合方向に進入可能に設けられた開口部を含み、
前記開口部の内側面および前記支持部側嵌合部の側面のうちの少なくとも一方には、前記ベース部側嵌合部と前記支持部側嵌合部との嵌合が外れるのを抑制可能な抜け止め部が設けられている、請求項４または５に記載の表示装置。
【請求項７】
前記ベース部の前記背面部材からの突出高さは、前記光源部の前記背面部材からの突出高さよりも小さい、請求項１〜６のいずれか１項に記載の表示装置。
【発明の詳細な説明】
【技術分野】
【０００１】
この発明は、表示装置に関し、特に、光学シートを背面側から支持する支持部材を備えた表示装置に関する。
【背景技術】
【０００２】
従来、光学シートを背面側から支持する支持部材を備えた表示装置が知られている（たとえば、特許文献１参照）。
【０００３】
上記特許文献１には、光学シートを背面側から支持する支持部材を備えた映像表示装置が開示されている。この映像表示装置には、支持部およびベース部を含む支持部材と下部シャーシとが設けられている。そして、支持部は、透明な材質により平板形状を有するように形成されている。また、ベース部は、支持部と同一の透明な材質により形成されているとともに、支持部と一体的に形成されている。また、ベース部は、固定突起を含み、下部シャーシに設けられた固定孔に、固定突起を挿入して固定されるように構成されている。そして、光学シートを背面側から支持する支持部材（支持部およびベース部）を透明な材質により形成することによって、光源からの光が支持部材に照射されることにより生じる影が、映像表示装置上の画面で視認されるのを抑制可能に構成されている。
【先行技術文献】
【特許文献】
【０００４】
【特許文献１】特開２０１３−１６１７９３号公報
【発明の概要】
【発明が解決しようとする課題】
【０００５】
しかしながら、上記特許文献１の映像表示装置では、ベース部が透明材料に形成されているため、ベース部の固定突起を介して、下部シャーシ（背面部材）の背面側に光源からの光が漏れるという不都合がある。そして、下部シャーシ（背面部材）から背面側に漏れた光が、ユーザに視認される場合があるという問題点がある。
【０００６】
この発明は、上記のような課題を解決するためになされたものであり、この発明の１つの目的は、光源部からの光が支持部材に照射されることにより生じる影が、表示部上で視認されるのを抑制しながら、背面部材から背面側に漏れた光が視認されるのを抑制することが可能な表示装置を提供することである。
【課題を解決するための手段】
【０００７】
上記目的を達成するために、この発明の一の局面による表示装置では、表示部と、表示部の背面側に配置される背面部材と、表示部と背面部材との間に配置される光源部と、表示部と光源部との間に配置される光学シートと、光学シートを光学シートの背面側から支持する支持部と、光源部と離間した位置において、一方側が背面部材に取り付けられるとともに、他方側が支持部に取付可能に構成されているベース部とを含む支持部材とを備える。なお、光学シートとは、偏光フィルムなどの光学シートに限らず、拡散板などを含む、より広い概念の光学シートを表す。
【０００８】
この発明の一の局面による表示装置では、上記のように、支持部材を、光学シートを光学シートの背面側から支持する支持部と、光源部と離間した位置において、一方側が背面部材に取り付けられるとともに、他方側が支持部に取付可能に構成されているベース部とを含むように構成する。これにより、支持部とベース部とを一体的に設ける場合と異なり、支持部を光が透過することが可能な材料により構成するとともに、ベース部を光が透過することを抑制することが可能な材料により構成することができる。そして、支持部を光が透過することを可能な材料により構成することによって、光源部からの光が支持部に照射されることによって生じる影が薄くなる。また、ベース部を光が透過することを抑制することが可能な材料により構成することによって、ベース部を介して背面部材から背面側に光が漏れるのを抑制することができる。その結果、光源部からの光が支持部材に照射されることにより生じる影が、表示部上で視認されるのを抑制しながら、ベース部を介して背面部材から背面側に漏れた光が視認されるのを抑制することができる。また、複数の異なる形状の支持部を用いる場合でも、共通のベース部を用いることができるので、部品の種類の増加を抑制することができる。
【０００９】
上記一の局面による表示装置において、好ましくは、ベース部は、光の透過を抑制する有色部分を含む。このように構成すれば、容易に、ベース部を介して背面部材から背面側に光が漏れるのを抑制することができる。
【００１０】
上記一の局面による表示装置において、好ましくは、背面部材と光学シートとの間に設けられており、光源部からの光を反射可能に構成された反射シートをさらに備え、ベース部は、ベース部と背面部材とによって、反射シートを挟むように構成されている。このように構成すれば、背面部材との間に反射シートを挟むための専用の部材を別途設ける場合と異なり、部品点数が増加するのを抑制しながら、ベース部により、反射シートの撓みを抑制することができる。
【００１１】
上記一の局面による表示装置において、好ましくは、支持部には、ベース部と嵌合可能に構成された支持部側嵌合部が設けられており、ベース部には、支持部に設けられた支持部側嵌合部に嵌合可能に構成されたベース部側嵌合部が設けられており、支持部側嵌合部とベース部側嵌合部とは、光学シートと平行な方向に沿って、ベース部に対して支持部を相対的に移動させることにより、嵌合されるように構成されている。このように構成すれば、支持部側嵌合部とベース部側嵌合部とが光学シートと垂直な方向に沿って、ベース部に対して支持部を相対的に移動させて嵌合されるように構成する場合と異なり、ベース部の厚み（光学シートと垂直な方向の長さ）を小さく構成することができる。その結果、ベース部の厚みを小さくする分、光源部からの光がベース部に照射されることによって生じる影が、表示部上で視認されるのを抑制することができる。
【００１２】
この場合、好ましくは、ベース部側嵌合部は、支持部側嵌合部が嵌合方向に進入可能に設けられた開口部と、開口部の内側面の一部である壁部とを含み、壁部は、開口部から進入した支持部側嵌合部がベース部側嵌合部を越えて嵌合方向に移動するのを規制するように構成されている。このように構成すれば、ベース部側嵌合部と支持部側嵌合部とが嵌合した後に、支持部側嵌合部がベース部側嵌合部を越えて嵌合方向に移動して、ベース部側嵌合部から支持部側嵌合部が脱離するのを抑制することができる。
【００１３】
上記支持部側嵌合部とベース部側嵌合部とを含む表示装置において、好ましくは、ベース部側嵌合部は、支持部側嵌合部が嵌合方向に進入可能に設けられた開口部を含み、開口部の内側面および支持部側嵌合部の側面のうちの少なくとも一方には、ベース部側嵌合部と支持部側嵌合部との嵌合が外れるのを抑制可能な抜け止め部が設けられている。このように構成すれば、ベース部側嵌合部と支持部側嵌合部とが嵌合した際に、ベース部側嵌合部から支持部側嵌合部が脱離するのをより抑制することができる。
【００１４】
上記一の局面による表示装置において、好ましくは、ベース部の背面部材からの突出高さは、光源部の背面部材からの突出高さよりも小さい。このように構成すれば、ベース部の背面部材からの突出高さが光源部の背面部材からの突出高さよりも大きい場合に比べて、光源部からベース部に照射される光により生じる影が、光学シート側に生じにくい。その結果、表示部上で、ベース部に光が照射されることに起因する影が視認されるのを抑制することができる。
【発明の効果】
【００１５】
本発明によれば、上記のように、光源部からの光が支持部材に照射されることにより生じる影が、表示部上で視認されるのを抑制しながら、背面部材から背面側に漏れた光が視認されるのを抑制することができる。
【図面の簡単な説明】
【００１６】
【図１】本発明の第１実施形態による液晶テレビジョン装置の全体構成を示した斜視図である。
【図２】本発明の第１実施形態による液晶テレビジョン装置の全体の構成を示した背面図である。
【図３】本発明の第１実施形態による液晶テレビジョン装置の分解斜視図である。
【図４】本発明の第１実施形態によるパネルポストの斜視図である。
【図５】本発明の第１実施形態によるパネルポストの分解斜視図である。
【図６】本発明の第１実施形態による支持部の矢印Ｚ２方向側から見た図である。
【図７】本発明の第１実施形態による支持部の矢印Ｘ２方向側から見た図である。
【図８】図６における５００−５００線に沿った断面図である。
【図９】本発明の第１実施形態による支持部の矢印Ｙ２方向側から見た図である。
【図１０】本発明の第１実施形態によるベース部の矢印Ｚ１方向側から見た図である。
【図１１】図１０における６００−６００線に沿った断面図である。
【図１２】本発明の第１実施形態によるベース部の矢印Ｙ２方向側から見た図である。
【図１３】図２における４００−４００線に沿った断面図である。
【図１４】本発明の第２実施形態による液晶テレビジョン装置の分解斜視図である。
【図１５】本発明の第３実施形態による液晶テレビジョン装置の分解斜視図である。
【図１６】本発明の第３実施形態によるパネルポストの分解斜視図である。
【図１７】本発明の第１実施形態による支持部の変形例を示す斜視図である。
【図１８】本発明の第１実施形態によるベース部の第１変形例を示す矢印Ｚ１方向側から見た図である。
【図１９】本発明の第１実施形態によるベース部の第２変形例を示す矢印Ｚ１方向側から見た図である。
【図２０】本発明の第１実施形態によるベース部の第２変形例を示す斜視図である。
【発明を実施するための形態】
【００１７】
以下、本発明の実施形態を図面に基づいて説明する。
【００１８】
（第１実施形態）
図１〜図１３を参照して、本発明の第１実施形態による液晶テレビジョン装置１００の構成について説明する。なお、液晶テレビジョン装置１００は、本発明の「表示装置」の一例である。
【００１９】
本発明の第１実施形態による液晶テレビジョン装置１００には、図１に示すように、表示部１が設けられている。表示部１は、液晶セルからなり映像が表示可能に構成されている。なお、以下の説明において、液晶テレビジョン装置１００の表示部１に対向する位置から見て、左方向を矢印Ｘ１方向、右方向を矢印Ｘ２方向、正面方向（手前方向）を矢印Ｙ１方向、背面方向を矢印Ｙ２方向、上方向を矢印Ｚ１方向、下方向を矢印Ｚ２方向として説明する。
【００２０】
また、液晶テレビジョン装置１００には、前部筐体２が設けられている。前部筐体２は、樹脂により形成されている。そして、前部筐体２は、表示部１を矢印Ｙ１方向側から支持するように構成されている。また、前部筐体２の中央部には、表示部１を矢印Ｙ１方向側に露出させるための矩形状の開口部２ａが設けられている。
【００２１】
また、液晶テレビジョン装置１００には、スタンド部材３が設けられている。スタンド部材３は、樹脂により形成されている。そして、スタンド部材３は、液晶テレビジョン装置１００全体を矢印Ｚ２方向側から支持するように構成されている。
【００２２】
また、図２に示すように、液晶テレビジョン装置１００には、リアフレーム４が設けられている。リアフレーム４は、金属により形成されており、矢印Ｙ２方向に窪む凹形状に形成されている。そして、リアフレーム４は、前部筐体２と矢印Ｙ２方向側から組み合わされるように構成されている。そして、リアフレーム４は、ネジ部材（図示せず）によって前部筐体２に固定されている。なお、リアフレーム４は、本発明の「背面部材」の一例である。
【００２３】
また、液晶テレビジョン装置１００には、カバー部材５が設けられている。カバー部材５は、樹脂により形成されており、リアフレーム４よりも小さい大きさにより形成されている。そして、カバー部材５は、リアフレーム４の矢印Ｙ２方向側に配置されている。また、カバー部材５は、リアフレーム４の背面（矢印Ｙ２方向側の面）に配置される電源基板や信号処理基板などの種々の基板（図示せず）を覆うように設けられている。また、カバー部材５は、ネジ部材（図示せず）によってリアフレーム４に固定されている。
【００２４】
また、図３に示すように、液晶テレビジョン装置１００には、ＬＥＤ（Ｌｉｇｈｔ  Ｅｍｉｔｔｉｎｇ  Ｄｉｏｄｅ）６が設けられている。ＬＥＤ６は、表示部１側（矢印Ｙ１方向側）に光を照射可能に構成されている。なお、ＬＥＤ６は、本発明の「光源部」の一例である。
【００２５】
また、液晶テレビジョン装置１００には、基板７が設けられている。基板７は、２つ設けられており、リアフレーム４の矢印Ｙ１方向側に、Ｚ方向に間隔を隔てて並列して配置されている。そして、基板７の表面には、それぞれ、ＬＥＤ６が８個ずつ基板７の延びる方向（Ｘ方向）に沿って、互いに間隔を隔てて実装されている。
【００２６】
また、液晶テレビジョン装置１００には、レンズ８が設けられている。レンズ８は、基板７に配置されているＬＥＤ６を覆うように、ＬＥＤ６に対してそれぞれ配置されている。そして、レンズ８は、アクリルなどの樹脂により構成されており、ＬＥＤ６からの出射光の出射角度を広げるように構成されている。また、レンズ８は、基板７の表面に接着されることにより、基板７に固定されている。なお、レンズ８は、本発明の「光源部」の一例である。
【００２７】
また、図３に示すように、液晶テレビジョン装置１００には、反射シート９が設けられている。反射シート９は、リアフレーム４と後述する拡散板１０との間に設けられており、ＬＥＤ６からの光を反射することが可能に構成されている。具体的には、反射シート９は、樹脂（たとえば、ＰＥＴ（Ｐｏｌｙｅｔｈｙｌｅｎｅｔｅｒｅｐｈｔａｌａｔｅ）など）により形成されている。そして、反射シート９は、基板７の表面上に配置された状態で、リアフレーム４に沿った形状（矢印Ｙ２方向側に窪む凹形状）を有するように構成されている。具体的には、反射シート９は、Ｘ方向に延びる長方形形状を有する反射シート底面部９ａと、反射シート底面部９ａの４辺を取り囲むように配置される４つの反射シート斜面部９ｂとを含む。なお、拡散板１０は、本発明の「光学シート」の一例である。
【００２８】
また、反射シート底面部９ａは、後述する拡散板１０および偏光フィルタ１１に対して平行に延びるように形成されている。また、反射シート斜面部９ｂは、反射シート底面部９ａの端部からリアフレーム４の縁部に向かって傾斜して延びるように形成されている。なお、偏光フィルタ１１は、本発明の「光学シート」の一例である。
【００２９】
そして、反射シート９の反射シート底面部９ａには、１６個（８個×２列）のＬＥＤ６（レンズ８）のそれぞれの配置位置に対応する位置に光源用開口部９ｃが設けられている。また、反射シート底面部９ａには、パネルポスト用開口部９ｄおよび９ｅが、それぞれ２つずつ設けられている。パネルポスト用開口部９ｄは、後述するパネルポスト１２のベース部１４の係止部１４ｇを貫通させることが可能に形成されている。また、パネルポスト用開口部９ｅは、後述するパネルポスト１２のベース部１４の回転防止部１４ｈを貫通させることが可能に形成されている。なお、パネルポスト１２は、本発明の「支持部材」の一例である。
【００３０】
また、図３に示すように、液晶テレビジョン装置１００には、拡散板１０が設けられている。拡散板１０は、樹脂等により形成されており、Ｚ方向およびＸ方向に延びる平板形状に形成されている。また、拡散板１０は、表示部１とＬＥＤ６との間に配置されており、ＬＥＤ６からの光を拡散するように構成されている。
【００３１】
また、図３に示すように、液晶テレビジョン装置１００には、偏光フィルタ１１が設けられている。偏光フィルタ１１は、拡散板１０と同様の平板形状を有し、Ｚ方向およびＸ方向に延びるように形成されている。そして、偏光フィルタ１１は、拡散板１０と表示部１との間に配置されており、拡散板１０を透過した光の偏光方向を揃えて表示部１へ出射するように構成されている。また、表示部１は、偏光フィルタ１１から出射された偏光方向を揃えられた光に対して、表示部１に含まれる液晶の透過率を変化させることなどにより、画像の表示が行われるように構成されている。
【００３２】
ここで、第１実施形態では、図３に示すように、液晶テレビジョン装置１００には、パネルポスト１２が設けられている。そして、図４に示すように、パネルポスト１２は、拡散板１０を拡散板１０の矢印Ｙ２方向側から支持する支持部１３を含む。また、パネルポスト１２は、ＬＥＤ６と離間した位置（図３参照）において、リアフレーム４に取り付けられるとともに、支持部１３に取付可能に構成されているベース部１４を含む。また、支持部１３は、ＬＥＤ６からの光を透過可能な樹脂材料により形成されている。また、ベース部１４は、ＬＥＤ６からの光が透過するのを抑制する（透過率が低い）有色材料（たとえば、白色）により形成されている。そして、後述するように、ベース部１４のシート押え部１４ｆは、リアフレーム４の第１係止用開口部９ｄおよび第２係止用開口部９ｅを覆うように配置されている。これにより、ベース部１４を介してリアフレーム４から矢印Ｙ２方向側に光が漏れるのを抑制可能に構成されている。
【００３３】
そして、図５に示すように、支持部１３には、接触部１３ａが設けられている。接触部１３ａは、支持部１３の拡散板１０側（矢印Ｙ１方向）の先端部に設けられており、略半球形状（直径Ｄ１）に形成されている。そして、支持部１３は、拡散板１０の矢印Ｙ２方向側から拡散板１０に接触部１３ａを点接触させることにより、拡散板１０を支持するように構成されている（図１３参照）。
【００３４】
また、第１実施形態では、図５に示すように、支持部１３には、ベース部１４と嵌合可能に構成された第１支持部側嵌合部１３ｂおよび第２支持部側嵌合部１３ｃが設けられている。そして、第１支持部側嵌合部１３ｂは、第２支持部側嵌合部１３ｃと後述する支持基台部１３ｈとの間に設けられており、矢印Ｚ方向に延びる柱形状を有する。また、第２支持部側嵌合部１３ｃは、ＸＺ平面に延びる板形状を有する。また、ベース部１４には、支持部１３に設けられた第１支持部側嵌合部１３ｂおよび第２支持部側嵌合部１３ｃに嵌合可能に構成されたベース部側嵌合部１４ａが設けられている。
【００３５】
そして、図５に示すように、第１支持部側嵌合部１３ｂおよび第２支持部側嵌合部１３ｃとベース部側嵌合部１４ａとは、拡散板１０と平行な方向（ＸＺ方向）に沿って、ベース部１４に対して支持部１３を相対的に移動させることにより、嵌合されるように構成されている。たとえば、ベース部１４に対して、支持部１３を、矢印Ｚ２方向に移動させることによって嵌合するように構成されている。
【００３６】
そして、図５に示すように、支持部１３には、側面１３ｄ〜１３ｇが設けられている。側面１３ｄ〜１３ｇは、側面１３ｄおよび側面１３ｅを幅広の側面として、厚みｔ１（図７参照）を有する平板形状に形成されている。また、側面１３ｄ〜１３ｇは、側面１３ｄ〜１３ｇの矢印Ｙ２方向側に設けられている支持基台部１３ｈに接続されている。そして、側面１３ｄおよび側面１３ｅは、支持基台部１３ｈから接触部１３ａに向かって延びるように形成されている。また、側面１３ｄおよび１３ｅは、矢印Ｚ１方向側から見て、略三角形形状を有するように形成されている。また、厚みｔ１の大きさと直径Ｄ１の大きさとは、等しい大きさにより構成されている。
【００３７】
また、図５に示すように、支持基台部１３ｈは、矢印Ｙ１方向側から見て、角部が円弧状の長方形形状に形成されている。また、図６に示すように、支持基台部１３ｈは、矢印Ｚ１方向側から見て、矢印Ｙ１方向側の辺が幅Ｗ１および矢印Ｙ２方向側の辺が幅Ｗ１よりも大きい幅Ｗ２を有する台形形状に形成されている。
【００３８】
また、図７に示すように、支持部１３には、第１支持部側嵌合部１３ｂが設けられている。第１支持部側嵌合部１３ｂは、支持基台部１３ｈと支持基台部１３ｈの矢印Ｙ２方向側で接続されている。また、第１支持部側嵌合部１３ｂは、第１支持部側嵌合部１３ｂの矢印Ｙ２方向側で、後述する第２支持部側嵌合部１３ｃと接続されている。
【００３９】
ここで、第１実施形態では、図７および図８に示すように、第１支持部側嵌合部１３ｂには、ベース部１４と嵌合された際に、ベース部１４との嵌合が外れるのを抑制可能な抜け止め部１３ｉが設けられている。具体的には、図８に示すように、抜け止め部１３ｉは、第１支持部側嵌合部１３ｂの矢印Ｚ１方向側で、かつ、第１支持部側嵌合部１３ｂのＸ方向の両端に設けられている。第１支持部側嵌合部１３ｂ（図８のハッチングにより示す領域）は、矢印Ｙ１方向側から見て、矢印Ｚ２方向側が幅Ｗ３（Ｘ方向の幅）に形成されている。そして、抜け止め部１３ｉは、第１支持部側嵌合部１３ｂのうちの矢印Ｚ１方向側で、かつ、第１支持部側嵌合部１３ｂのＸ方向の両端を凹まされた形状（幅Ｗ４）を有する部分である。また、第１支持部側嵌合部１３ｂの幅Ｗ３の大きさは、支持基台部１３ｈの幅Ｗ２の大きさよりも小さく形成されている。すなわち、幅Ｗ２と幅Ｗ３と幅Ｗ４とは、以下の式（１）の関係がある。
Ｗ４＜Ｗ３＜Ｗ２  ・・・  （１）
【００４０】
そして、第１支持部側嵌合部１３ｂは、Ｚ方向に長さＬ１を有する。そして、第１支持部側嵌合部１３ｂの側端面１３ｊから長さＬ２の部分は、幅Ｗ３を有するように形成されており、第１支持部側嵌合部１３ｂのうちの側端面１３ｊから長さＬ２以外の部分は、幅Ｗ４を有するように形成されている。
【００４１】
また、第１支持部側嵌合部１３ｂの矢印Ｚ２方向側の側端面１３ｊは、ベース部１４と嵌合された際に、後述するベース部１４の壁部１４ｃと面接触するように構成されている（図５参照）。
【００４２】
また、図６に示すように、支持部１３には、第２支持部側嵌合部１３ｃが設けられている。第２支持部側嵌合部１３ｃは、第１支持部側嵌合部１３ｂの矢印Ｙ２方向側と接続するように設けられている。そして、図９に示すように、第２支持部側嵌合部１３ｃは、Ｘ方向に幅Ｗ３の大きさよりも大きく、幅Ｗ２よりも小さい幅Ｗ５を有するように形成されている。すなわち、幅Ｗ２と幅Ｗ３と幅Ｗ５とは、以下の式（２）の関係がある。
Ｗ３＜Ｗ５＜Ｗ２  ・・・  （２）
【００４３】
また、図６に示すように、第２支持部側嵌合部１３ｃは、厚みｔ２（Ｙ方向の幅）を有するように形成されている。また、図９に示すように、第２支持部側嵌合部１３ｃは、長さＬ１の大きさよりも大きい長さＬ３（Ｚ方向の幅）を有するように形成されている。すなわち、長さＬ１と長さＬ３とは、以下の式（３）の関係がある。
Ｌ３＞Ｌ１  ・・・  （３）
【００４４】
また、図９に示すように、第２支持部側嵌合部１３ｃの矢印Ｚ２方向側の側端面１３ｋは、ベース部１４と嵌合された際に、後述するベース部１４の壁部１４ｄと面接触するように構成されている。
【００４５】
ここで、第１実施形態では、図１０に示すように、ベース部１４のベース部側嵌合部１４ａは、第１支持部側嵌合部１３ｂおよび第２支持部側嵌合部１３ｃが嵌合方向（矢印Ｚ２方向）に進入可能に設けられた開口部１４ｂと、開口部１４ｂの内側面の一部である壁部１４ｃおよび１４ｄとを含むように構成されている。そして、図５に示すように、壁部１４ｃおよび１４ｄは、開口部１４ｂから進入した第１支持部側嵌合部１３ｂおよび第２支持部側嵌合部１３ｃと面接触することによって、支持部１３がベース部側嵌合部１４ａを越えて嵌合方向（矢印Ｚ２方向）に移動するのを規制するように構成されている。
【００４６】
具体的には、図１０および図１１に示すように、ベース部側嵌合部１４ａは、矢印Ｙ１方向側から見て、中央部および上部に開口部１４ｂを有するように形成されている。そして、図１０に示すように、開口部１４ｂは、矢印Ｚ１方向側から見て、幅Ｗ５および高さｈ１を有する部分と、幅Ｗ３を有する部分とにより構成されている。また、高さｈ１は、第２支持部側嵌合部１３ｃの厚みｔ２（図６参照）と略同じ大きさに構成されている。そして、開口部１４ｂの矢印Ｙ１方向側の部分に、壁部１４ｃが設けられている。また、開口部１４ｂの矢印Ｙ２方向側の部分に、壁部１４ｄが設けられている。そして、壁部１４ｃおよび１４ｄは、支持部１３とベース部１４とが嵌合された際に、開口部１４ｂから進入した第１支持部側嵌合部１３ｂおよび第２支持部側嵌合部１３ｃと面接触するように構成されている（図５参照）。
【００４７】
また、図１１に示すように、開口部１４ｂは、矢印Ｙ１方向側から見て、Ｚ方向に長さＬ１を有する。そして、開口部１４ｂのうちの壁部１４ｃから長さＬ２の部分は、幅Ｗ３を有するように形成されており、開口部１４ｂのうちの壁部１４ｃから長さＬ２以外の部分は、幅Ｗ３から幅Ｗ４の大きさの幅を有するように形成されている。
【００４８】
ここで、第１実施形態では、図１１に示すように、ベース部側嵌合部１４ａには、支持部１３と嵌合された際に、支持部１３との嵌合が外れるのを抑制可能な抜け止め部１４ｅが設けられている。具体的には、図１１に示すように、抜け止め部１４ｅは、開口部１４ｂの壁面１４ｃから長さＬ２以上の矢印Ｚ１方向で、かつ、矢印Ｘ方向の両端に２つ設けられている。また、抜け止め部１４ｅは、開口部１４ｂの内側方向（矢印Ｘ方向）に凸形状を有するように構成されている。
【００４９】
そして、支持部１３とベース部１４とが嵌合された際に、支持部１３の抜け止め部１３ｉ（図８参照）とベース部１４の抜け止め部１４ｅ（図１１参照）とが接触するように構成されている。そして、上記したように、幅Ｗ３の大きさは、幅Ｗ４の大きさよりも大きいので、嵌合された後、嵌合が外れる方向（Ｚ方向）に力が加わった場合でも、幅Ｗ３の第１支持部側嵌合部１３ｂが、幅Ｗ４のベース部側嵌合部１４ａに引っ掛かるように接触して、嵌合が外れるのを抑制するように構成されている。
【００５０】
また、図１０および図１１に示すように、ベース部１４には、シート押え部１４ｆが設けられている。シート押え部１４ｆは、幅Ｗ２の大きさよりも大きい大きさを有する幅Ｗ６の平板形状に形成されており、ベース部側嵌合部１４ａとベース部側嵌合部１４ａの矢印Ｙ２方向側で接続されるように構成されている。
【００５１】
また、図１０に示すように、ベース部１４には、係止部１４ｇが設けられている。係止部１４ｇは、シート押え部１４ｆから矢印Ｙ２方向側に突出するように設けられており、一対の引っ掛かり部を有する。また、図３に示すように、リアフレーム４には、係止部１４ｇを嵌めることが可能に形成された２つの第１係止用開口部４ａが設けられている。
【００５２】
ここで、第１実施形態では、図１３に示すように、ベース部１４は、ベース部１４とリアフレーム４とによって、反射シート９を挟むように構成されている。具体的には、係止部１４ｇは、上記した反射シート９のパネルポスト用開口部９ｄを貫通するとともに、第１係止用開口部４ａに係止されるように構成されている。そして、ベース部１４は、反射シート９を挟みながらリアフレーム４に固定されるように構成されている。
【００５３】
また、図１２に示すように、ベース部１４には、回転防止部１４ｈが設けられている。回転防止部１４ｈは、シート押え部１４ｆから矢印Ｙ２方向側に突出するように設けられており、平板形状を有する。また、図３に示すように、リアフレーム４には、回転防止部１４ｈを嵌めることが可能に形成された２つの第２係止用開口部４ｂが設けられている。そして、回転防止部１４ｈは、上記した反射シート９のパネルポスト用開口部９ｅを貫通するとともに、第２係止用開口部４ｂに挿入されるように構成されている。これにより、ベース部１４がリアフレーム４に固定されるとともに、ベース部１４（パネルポスト１２）の設置方向を定めること（回転することを防止すること）が可能に構成されている。
【００５４】
そして、図１２に示すように、シート押え部１４ｆは、第１係止用開口部４ａおよび第２係止用開口部４ｂを覆うように配置されている。これにより、ＬＥＤ６から発せられた光が第１係止用開口部４ａおよび第２係止用開口部４ｂの隙間を介して、リアフレーム４の矢印Ｙ２方向側に漏れるのを抑制可能に構成されている。そして、シート押え部１４ｆは、上記したように有色材料により形成されているので、光が透過ベース部１４を介してリアフレーム４から矢印Ｙ２方向側に光が漏れるのを抑制可能に構成されている。これにより、ＬＥＤ６からの光がリアフレーム４の矢印Ｙ２方向側で視認されるのを抑制するように構成されている。
【００５５】
ここで、第１実施形態では、図１３に示すように、ベース部１４のリアフレーム４からの突出高さｈ２は、拡散レンズ８のリアフレーム４からの突出高さｈ３よりも小さくなるように構成されている。すなわち、突出高さｈ２と突出高さｈ３とは、以下の式（４）の関係がある。
ｈ２＜ｈ３  ・・・  （４）
【００５６】
具体的には、図１３に示すように、ベース部１４のリアフレーム４からの突出高さｈ２は、反射シート９の厚みとシート押え部１４ｆおよびベース部側嵌合部１４ａの厚みｔ３（図１０参照）とを合わせた大きさとなる。そして、拡散レンズ８のリアフレーム４からの突出高さｈ３は、拡散レンズ８の高さと基板７の厚みとを合わせた大きさとなる。そして、ベース部１４のリアフレーム４からの突出高さｈ２は、拡散レンズ８のリアフレーム４からの突出高さｈ３よりも小さくなるように構成されている。
【００５７】
第１実施形態では、以下のような効果を得ることができる。
【００５８】
第１実施形態では、上記のように、パネルポスト１２を、拡散板１０を拡散板１０の矢印Ｙ２方向側から支持する支持部１３と、ＬＥＤ６と離間した位置において、一方側がリアフレーム４に取り付けられるとともに、他方側が支持部１３に取付可能に構成されているベース部１４とを含むように構成する。そして、支持部１３を光が透過することを可能な材料により構成するとともに、ベース部１４を光が透過することを抑制することが可能な材料により構成する。これにより、ＬＥＤ６からの光が支持部１３を透過することができるので、ＬＥＤ６からの光が支持部１３に照射されることによって生じる影が薄くなる。また、ベース部１４により光が透過することが抑制されるので、ベース部１４を介してリアフレーム４から背面側（矢印Ｙ２方向側）に光が漏れるのを抑制することができる。その結果、ＬＥＤ６からの光がパネルポスト１２に照射されることにより生じる影が、表示部１上で視認されるのを抑制しながら、ベース部１４を介してリアフレーム４から背面側（矢印Ｙ２方向側）に漏れた光が視認されるのを抑制することができる。
【００５９】
また、第１実施形態では、上記のように、ベース部１４を、光の透過を抑制する有色材料により構成する。これにより、容易に、ベース部１４を介してリアフレーム４から背面側（矢印Ｙ２方向側）に光が漏れるのを抑制することができる。
【００６０】
また、第１実施形態では、上記のように、ベース部１４を、ベース部１４とリアフレーム４とによって、反射シート９を挟むように配置する。これにより、リアフレーム４との間に反射シート９を挟むための専用の部材を別途設ける場合と異なり、部品点数が増加するのを抑制しながら、ベース部１４により、反射シート９の撓みを抑制することができる。
【００６１】
また、第１実施形態では、上記のように、支持部１３に、ベース部１４と嵌合可能に構成された第１支持部側嵌合部１３ｂおよび第２支持部側嵌合部１３ｃを設ける。そして、ベース部１４に、支持部１３に設けられた第１支持部側嵌合部１３ｂおよび第２支持部側嵌合部１３ｃに嵌合可能に構成されたベース部側嵌合部１４ａを設ける。そして、第１支持部側嵌合部１３ｂおよび第２支持部側嵌合部１３ｃとベース部側嵌合部１４ａとを、拡散板１０と平行な方向（Ｚ方向）に沿って、ベース部１４に対して支持部１３を相対的に移動させることにより、嵌合可能に構成する。これにより、第１支持部側嵌合部１３ｂおよび第２支持部側嵌合部１３ｃとベース部側嵌合部１４ａとが拡散板１０と垂直な方向（Ｙ方向）に沿って、ベース部１４に対して支持部１３を相対的に移動させて嵌合されるように構成する場合と異なり、ベース部１３の厚みｔ３を小さくすることができる。その結果、ベース部１４の厚みｔ３を小さくする分、ＬＥＤ６からの光がベース部１４に照射されることによって生じる影が、表示部１上で視認されるのを抑制することができる。
【００６２】
また、第１実施形態では、上記のように、ベース部側嵌合部１４ａに、第１支持部側嵌合部１３ｂおよび第２支持部側嵌合部１３ｃが嵌合方向（矢印Ｚ２方向）に進入可能に設けられた開口部１４ｂと、開口部１４ｂの内側面の一部である壁部１４ｃおよび１４ｄとを設ける。そして、壁部１４ｃおよび１４ｄを、開口部１４ｂから進入した第１支持部側嵌合部１３ｂおよび第２支持部側嵌合部１３ｃがベース部側嵌合部１４ａを越えて嵌合方向に移動するのを規制するように構成する。これにより、ベース部側嵌合部１４ａと第１支持部側嵌合部１３ｂおよび第２支持部側嵌合部１３ｃとが嵌合した後に、第１支持部側嵌合部１３ｂおよび第２支持部側嵌合部１３ｃがベース部側嵌合部１４ａを越えて嵌合方向に移動して、ベース部側嵌合部１４ａから第１支持部側嵌合部１３ｂおよび第２支持部側嵌合部１３ｃが脱離するのを抑制することができる。
【００６３】
また、第１実施形態では、上記のように、ベース部側嵌合部１４ａに、第１支持部側嵌合部１３ｂおよび第２支持部側嵌合部１３ｃが嵌合方向（矢印Ｚ２方向）に進入可能に設けられた開口部１４ｂを設ける。そして、開口部１４ｂの内側面および第１支持部側嵌合部１３ｂの側面に、ベース部側嵌合部１４ａと第１支持部側嵌合部１３ｂとの嵌合が外れるのを抑制可能な抜け止め部１３ｉおよび１４ｅを設ける。これにより、ベース部側嵌合部１４ａと第１支持部側嵌合部１３ｂとが嵌合した際に、ベース部側嵌合部１４ａから第１支持部側嵌合部１３ｂが脱離するのをより確実に抑制することができる。
【００６４】
また、第１実施形態では、上記のように、ベース部１４のリアフレーム４からの突出高さｈ２を、拡散レンズ８のリアフレーム４からの突出高さｈ３よりも小さく構成する。これにより、ベース部１４のリアフレーム４からの突出高さｈ２が拡散レンズ８のリアフレーム４からの突出高さｈ３よりも大きい場合に比べて、拡散レンズ８（ＬＥＤ６）からベース部１４に照射される光により生じる影が、拡散板１０側に生じにくい。その結果、表示部１上で、ベース部１４に光が照射されることに起因する影が視認されるのを抑制することができる。
【００６５】
（第２実施形態）
次に、図１４を参照して、第２実施形態による液晶テレビジョン装置２００の構成について説明する。第２実施形態では、第１実施形態による液晶テレビジョン装置１００の構成に加えて、さらに複数のベース部がリアフレームに取付けられている。
【００６６】
図１４に示すように、第２実施形態による液晶テレビジョン装置２００は、リアフレーム２０４と、反射シート２０９とを含む。
【００６７】
そして、リアフレーム２０４には、第１実施形態のリアフレーム４の構成に加えて、第１係止用開口部４ａおよび第２係止用開口部４ｂが、Ｘ方向の中央近傍に、直線上に間隔を隔てて、それぞれ３つずつ設けられている。また、リアフレーム２０４には、Ｘ方向のそれぞれの端部近傍に、第１係止用開口部４ａおよび第２係止用開口部４ｂがそれぞれ２つずつ設けられている。すなわち、リアフレーム２０４には、第１実施形態のリアフレーム４の構成に加えて、さらに７つのベース部１４を取付可能に構成されている。
【００６８】
また、図１４に示すように、反射シート２０９には、第１実施形態の反射シート９の構成に加えて、リアフレーム２０４に第１係止用開口部４ａおよび第２係止用開口部４ｂが設けられている位置に対応する位置に、パネルポスト用開口部９ｄおよび９ｅがそれぞれ設けられている。すなわち、反射シート２０９には、第１実施形態の反射シート９の構成に加えて、さらに７つのベース部１４を貫通可能に構成されている。
【００６９】
ここで、第２実施形態では、図１４に示すように、液晶テレビジョン装置２００には、第１実施形態による液晶テレビジョン装置１００の構成に加えて、ベース部１４が、さらに７つ、反射シート２０９を挟むようにして、リアフレーム２０４に取付けられている。なお、ベース部１４は、第１実施形態によるベース部１４と同一の形状を有する。また、第２実施形態による液晶テレビジョン装置２００のその他の構成は、第１実施形態における液晶テレビジョン装置１００と同様である。
【００７０】
第２実施形態では、以下のような効果を得ることができる。
【００７１】
第２実施形態では、上記のように、第１実施形態による液晶テレビジョン装置１００の構成に加えて、リアフレーム２０４のＸ方向の中央近傍と、Ｘ方向のそれぞれの端部近傍とに、それぞれ、ベース部１４を、反射シート２０９を挟むようにして設ける。これにより、反射シート２０９が撓みやすい箇所をリアフレーム２０４に固定することができる。また、ベース部１４のみを用いるので、新たに固定用の別部材を設ける（設計する）必要がない。また、支持部１３を取り付けないで、ベース部１４を配置することによって、ＬＥＤ６から支持部１３に照射される光に起因する表示部１上の影を考慮する必要がないので、ＬＥＤ６の近傍でも、ベース部１４を配置して、反射シート２０９の撓みを抑制することができる。また、第２実施形態による液晶テレビジョン装置２００のその他の効果は、第１実施形態における液晶テレビジョン装置１００と同様である。
【００７２】
（第３実施形態）
次に、図１５および図１６を参照して、第３実施形態による液晶テレビジョン装置３００の構成について説明する。第３実施形態では、平板形状を有する支持部を備えていた第１実施形態の液晶テレビジョン装置１００とは異なり、略円錐形状を有する支持部を備える。
【００７３】
図１５に示すように、第３実施形態による液晶テレビジョン装置３００は、反射シート３０９を含む。反射シート３０９は、２列の直線上に複数の光源用開口部９ｃが設けられていた第１実施形態による反射シート９と異なり、千鳥状に配列された複数の光源用開口部９ｃが設けられている。具体的には、４つの基板７が間隔を隔てて並列して設けられており、４つの基板７のうちの２つには、ＬＥＤ６が４つずつ所定の間隔を隔てて配置されており、残りの２つの基板７には、ＬＥＤ６が５つずつ所定の間隔を隔てて配置されている。これにより、ＬＥＤ６が千鳥状に配置されるように構成されている。そして、ＬＥＤ６が配置されている位置に対応する位置に光源用開口部９ｃがそれぞれ設けられている。
【００７４】
ここで、第３実施形態では、図１５に示すように、液晶テレビジョン装置３００には、略円錐形状に形成された支持部３１３を備えたパネルポスト３１２が設けられている。具体的には、パネルポスト３１２は、支持部３１３とベース部１４とにより構成されている。また、ベース部１４は、第１実施形態によるベース部１４と同一の構成を有する。
【００７５】
そして、図１６に示すように、支持部３１３は、支持本体部３１３ａと、接触部３１３ｂと、第１支持部側嵌合部１３ｂと、第２支持部側嵌合部１３ｃと、支持基台部１３ｈとにより構成されている。そして、支持部３１３は、接触部３１３ｂを頂点とした略円錐形状を有するように形成されている。具体的には、支持本体部３１３ａは、接触部３１３ｂから矢印Ｙ２方向側に延びるように形成されており、支持基台部１３ｈの矢印Ｙ１方向側と接続されている。そして、支持本体部３１３ａと支持基台部１３ｈとが接続する部分は、直径Ｄ２の円形形状に形成されている。また、直径Ｄ２の大きさは、接触部３１３ｂの直径Ｄ３の大きさよりも大きく構成されている。また、第３実施形態による液晶テレビジョン装置３００のその他の構成は、第１実施形態における液晶テレビジョン装置１００と同様である。
【００７６】
第３実施形態では、以下のような効果を得ることができる。
【００７７】
第３実施形態では、上記のように、液晶テレビジョン装置３００に、略円錐形状に形成された支持部３１３を備えたパネルポスト３１２を設ける。ここで、第１実施形態のように複数のＬＥＤ６が直線上に配置された場合、パネルポスト１２には、主に上下方向（Ｚ方向）からＬＥＤ６の光が照射される。この場合、第１実施形態による平板形状を有する支持部１３を含むパネルポスト１２を用いることによって、ＬＥＤ６からの光がパネルポスト１２に照射されることに起因する表示部１上の影が生じるのを抑制することができる。一方、第３実施形態のように複数のＬＥＤ６が千鳥状に配置された場合には、パネルポスト３１２に、平面方向（ＸＺ方向）の全方向からＬＥＤ６の光が照射される。このような場合には、第３実施形態による略円錐形状を有する支持部３１３を含むパネルポスト３１２を用いることによって、ＬＥＤ６からの光がパネルポスト３１２に照射されることに起因する表示部１上の影が生じるのを抑制することができる。したがって、上記のように、ＬＥＤ６の配置方法に応じて、複数の異なる形状の支持部（支持部１３または支持部３１３など）を用いる場合でも、共通のベース部１４を用いることができるので、部品の種類の増加を抑制することができる。また、第３実施形態による液晶テレビジョン装置３００のその他の効果は、第１実施形態における液晶テレビジョン装置１００と同様である。
【００７８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７９】
たとえば、上記第１〜第３実施形態では、本発明の表示装置として、液晶テレビジョン装置を用いる例を示したが、本発明はこれに限らない。本発明では、表示装置として液晶テレビジョン装置以外を用いてもよい。たとえば、ＰＣ（Ｐｅｒｓｏｎａｌ  Ｃｏｍｐｕｔｅｒ）用の表示装置などの一般的な表示装置に用いてもよい。
【００８０】
また、上記第１〜第３実施形態では、ベース部に支持部を嵌合させて取り付ける例を示したが、本発明はこれに限られない。本発明では、ベース部に支持部を嵌合させる以外の方法により取り付けるように構成してもよい。たとえば、ベース部に対して支持部（支持基台部）を挟むようにビスを螺合させて、ベース部に支持部を取り付けるように構成してもよい。
【００８１】
また、上記第１〜第３実施形態では、支持部とベース部とを拡散板の表面に平行な方向に沿って、相対的に移動させることによって、嵌合させる例を示したが、本発明はこれに限られない。本発明では、支持部とベース部とを拡散板の表面に平行な方向以外の方向に沿って、相対的に移動させることによって、嵌合させるように構成してもよい。たとえば、支持部とベース部とを拡散板と垂直な方向に沿って、相対的に移動させることによって、嵌合させてもよい。
【００８２】
また、上記第１〜第３実施形態では、本発明のベース部を光の透過を抑制する白色の有色部分を含むように構成する例を示したが、本発明はこれに限られない。本発明は、ベース部を白色以外の有色部分を含むように構成して光の透過を抑制してもよい。たとえば、ベース部を黒色の有色部分を含むように構成して光の透過を抑制してもよい。
【００８３】
また、上記第１および第２実施形態では、本発明の支持部を矢印Ｚ１方向側から見て、略三角形形状（図６参照）を有するように形成する例を示したが、本発明はこれに限られない。本発明は、支持部を矢印Ｚ１方向側から見て、略三角形形状以外の形状を有するように形成してもよい。たとえば、図１７に示す変形例による支持部４１３では、矢印Ｚ１方向側から見て、矢印Ｙ２方向側の長方形形状の部分４１３ａと矢印Ｙ１方向側の三角形形状の部分４１３ｂとを組み合わせた形状をするように構成されている。
【００８４】
ここで、変形例による支持部４１３は、図１７に示すように、長方形形状の部分４１３ａと、三角形形状の部分４１３ｂと、接触部４１３ｃと、第１支持部側嵌合部１３ｂと、第２支持部側嵌合部１３ｃと、支持基台部１３ｈとにより構成されている。具体的には、長方形形状の部分４１３ａは、矢印Ｙ１方向に向かって支持基台部１３ｈから延びるように設けられている。そして、長方形形状の部分４１３ａの矢印Ｙ１方向側は、三角形形状の部分４１３ｂの矢印Ｙ２方向側に接続されている。そして、三角形形状の部分４１３ｂの矢印Ｙ１方向側は、接触部４１３ｃに接続されている。
【００８５】
また、上記第１〜第３実施形態では、ベース部に一対の引っ掛かり部を有する係止部を設けることにより、ベース部をリアフレームに取付可能に構成する例を示したが、本発明はこれに限られない。本発明は、ベース部に一対の引っ掛かり部以外を有する係止部を設けることにより、ベース部をリアフレームに取付可能に構成してもよい。たとえば、図１８に示す第１変形例によるベース部５１４では、係止部５１４ａおよび係止部５１４ｂが設けられている。そして、係止部５１４ａおよび係止部５１４ｂには、それぞれに引っ掛かり部５１４ｃおよび５１４ｄが設けられている。また、図１９に示す第２変形例によるベース部６１４では、係止部６１４ａおよび係止部６１４ｂと、回転防止部６１４ｃおよび６１４ｄが設けられている。そして、係止部６１４ａおよび係止部６１４ｂには、それぞれに引っ掛かり部６１４ｅおよび６１４ｆが設けられている。
【００８６】
ここで、第１変形例によるベース部５１４は、図１８に示すように、係止部５１４ａおよび係止部５１４ｂを含む。係止部５１４ａおよび係止部５１４ｂは、それぞれ、シート押え部１４ｆから矢印Ｙ２方向側に突出するように設けられている。そして、係止部５１４ａの矢印Ｘ１方向側の端部と、係止部５１４ｂの矢印Ｘ２方向側の端部とを結ぶ長さＬ４の大きさは、リアフレーム４の第１係止用開口部４ａの直径と略等しい大きさを有するように形成されている。そして、係止部５１４ａの先端部には、矢印Ｘ１方向側に凸形状の引っ掛かり部５１４ｃが設けられているとともに、係止部５１４ｂの先端部には、矢印Ｘ２方向側に凸形状の引っ掛かり部５１４ｄが設けられている。
【００８７】
ここで、第２変形例によるベース部６１４は、図１９および図２０に示すように、係止部６１４ａおよび係止部６１４ｂを含む。係止部６１４ａおよび係止部６１４ｂは、それぞれ、シート押え部１４ｆから矢印Ｙ２方向側に突出するように設けられている。そして、係止部６１４ａの先端部には、矢印Ｚ２方向側に凸形状の引っ掛かり部６１４ｅが設けられているとともに、係止部６１４ｂの先端部には、矢印Ｚ１方向側に凸形状の引っ掛かり部６１４ｆが設けられている。そして、回転防止部６１４ｃおよび６１４ｄは、それぞれ、シート押え部１４ｆから矢印Ｙ２方向側に突出するように設けられている。回転防止部６１４ｃは、係止部６１４ａおよび係止部６１４ｂを覆うように形成されている。また、回転防止部６１４ｄは、柱状に形成されている。
【００８８】
また、上記第１〜第３実施形態では、本発明の光源として、ＬＥＤを用いる例を示したが、本発明はこれに限られない。本発明は、光源として、ＬＥＤ以外の光源を用いてもよい。たとえば、光源として冷陰極蛍光管などの線光源を用いてもよい。
【００８９】
また、上記第１〜第３実施形態では、ＬＥＤが実装されている基板を並列してリアフレームに配置するように構成する例を示したが、本発明はこれに限られない。本発明は、ＬＥＤが実装されている基板を並列以外の方法により配置するように構成してもよい。たとえば、ＬＥＤが実装されている基板を、Ｘ形状を有するように配置してもよいし、ランダムに配置してもよい。
【符号の説明】
【００９０】
１  表示部
４、２０４  リアフレーム（背面部材）
６  ＬＥＤ（光源部）
８  拡散レンズ（光源部）
９、２０９、３０９  反射シート
１０  拡散板（光学シート）
１１  偏光フィルム（光学シート）
１２、３１２  パネルポスト（支持部材）
１３、３１３、４１３  支持部
１３ｂ  第１支持部側嵌合部
１３ｃ  第２支持部側嵌合部
１３ｉ  抜け止め部
１４、５１４、６１４  ベース部
１４ａ  ベース部側嵌合部
１４ｂ  開口部
１４ｃ、１４ｄ  壁部
１４ｅ  抜け止め部
１００、２００、３００  液晶テレビジョン装置（表示装置）
【図１】
2016004102.tif 000003
【図２】
2016004102.tif 000004
【図３】
2016004102.tif 000005
【図４】
2016004102.tif 000006
【図５】
2016004102.tif 000007
【図６】
2016004102.tif 000008
【図７】
2016004102.tif 000009
【図８】
2016004102.tif 000010
【図９】
2016004102.tif 000011
【図１０】
2016004102.tif 000012
【図１１】
2016004102.tif 000013
【図１２】
2016004102.tif 000014
【図１３】
2016004102.tif 000015
【図１４】
2016004102.tif 000016
【図１５】
2016004102.tif 000017
【図１６】
2016004102.tif 000018
【図１７】
2016004102.tif 000019
【図１８】
2016004102.tif 000020
【図１９】
2016004102.tif 000021
【図２０】
2016004102.tif 000022